(57)【要約】【課題】移動電話の信号レベルを、移動電話に接続されている関連の補助デバイスに応じて適合させるための装置を提供する。【解決手段】移動電話のマイクロプロセッサ(MCU）は移動電話に補助デバイスが接続されるとこの補助デバイスから接続データを受信する。また、マイクロプロセッサは補助デバイスの種類に応じて必要な増幅データが記憶されているメモリをそなえる。これに基づいてマイクロプロセッサは移動電話のPCM −コーデック及びそのディジタル信号プロセッサ(DSP）に適当な増幅データを送信する。ハンドフリーユニット、モデム、テレファックスなど種々の補助デバイスを利用できる。【選択図】図１
2007020230.tif 000002
【特許請求の範囲】
【請求項１】
移動電話の信号レベルをこれに接続している関連の補助デバイスに応じて適合させるための装置であって、移動電話が接続されている補助デバイスの種類を該補助デバイスからの受信信号に基づいて識別し、その内部信号レベルを補助デバイスに応じて適当なレベルに調整できるようにしたことを特徴とする装置。
【請求項２】
移動電話と補助デバイスの間のインタフェースが補助デバイスの識別データを伝送するための第１の信号ラインと、オーディオ信号伝送用の第２の信号ラインとをそなえ、該第１の信号ラインを介して受信した識別データに基づいて、移動電話が前記オーディオ信号に関するその内部信号レベルを補助デバイスに合わせて調整できるようにしたことを特徴とする、請求項１に記載の装置。
【請求項３】
補助デバイスが電話のディジタルデータバスを利用して識別メッセージを送信するようにしたことを特徴とする、請求項１または２に記載の装置。
【請求項４】
補助デバイスがディジタルデータバスを利用して電話に繰返えしメッセージを送信し、電話がメッセージの消失に基づいて補助デバイスの切断を認識することを特徴とする、請求項３に記載の装置。
【請求項５】
補助デバイスが補助デバイス識別用の以下にフックラインと呼称するラインと第３のラインとの間に接続された例えば抵抗器のような電気的素子をそなえ、該抵抗器が補助デバイスの種類に応じて規定されたインピーダンス（抵抗）を有し、移動電話がフックラインと該第３のラインとの間に電流及び／または電圧を供給し、フックラインに発生する電圧及び／または電流を測定することによって補助デバイスを識別することを特徴とする、請求項１または２に記載の装置。
【請求項６】
移動電話がフックラインの電圧データをディジタルデータに変換するためのアナログ−ディジタルコンバータを含み、マイクロプロセッサがディジタル電圧値を読取ることによって補助デバイスを識別することを特徴とする、請求項５に記載の装置。
【請求項７】
電話のマイクロプロセッサがディジタル電圧データを繰返えし読取ることによって補助デバイスの接続または切断を指示することを特徴とする、請求項６に記載の装置。
【請求項８】
電話のインタフェースに対する補助デバイスの接続／切断に伴なって割込みラインの状態が変化し、これに基づいて電話のマイクロプロセッサが補助デバイスの識別を行うことを特徴とする、請求項１〜３及び５〜６のいずれか一項に記載の装置。
【請求項９】
移動電話が補助デバイスに関する信号レベルパラメータが記憶されているメモリ手段をそなえることを特徴とする、請求項１〜８のいずれか一項に記載の装置。
【請求項１０】
補助デバイスが接続されていないかまたは接続されている補助デバイスに関する信号レベルパラメータのデータがメモリ手段に記憶されていない場合に使用される信号レベルパラメータが移動電話のメモリ手段に記憶されることを特徴とする、請求項９に記載の装置。
【請求項１１】
マイクロプロセッサが、接続されている補助デバイスの種類に関する信号レベルパラメータまたは移動電話のオーディオ部に関する信号レベルパラメータをメモリ手段から読取り、電話のディジタル信号プロセッサ及び／またはコーデックの増幅度を読取られたパラメータに対応する値にセットすることを特徴とする、請求項９または10に記載の装置。
【発明の詳細な説明】
【技術分野】
【０００１】
本発明の対象は、移動電話の信号レベルを、移動電話に接続されている補助デバイスに応じて適合させるための装置である。
【背景技術】
【０００２】
最初の移動電話即ちセルラー電話は、これに多様な補助デバイスを接続して利用することを可能にする。例えば、種々のハンドフリーユニット、モデム、テレファックスなどである。個々の補助デバイスはそれが正しく動作するために、所定の固有オーディオ信号レベルを必要とする。
【０００３】
初期のセルラー電話は唯一の特定補助デバイスだけを使用できるように設定され、接続部のオーディオ信号レベルは当然適正レベルに設定または適合されていたから、初期のセルラー電話世代では上記の条件は問題とならなかった。なんらかの理由で本来意図されている唯一の補助デバイス以外の補助デバイスを使用する場合には特殊なアダプタケーブルを介して移動電話に接続されていた。
【０００４】
今日では上述したように多様な補助デバイスを移動電話と併用することができるから、原理的には多様なサイズのアダプタケーブルを用意しなければならず、必然的にシステムの効率的利用が複雑になる。従って、本発明の目的はこの問題を解消し、種々の方法で適合させた接続ケーブルを使用しなくてもそれぞれ異なるオーディオ信号レベルを必要とする多様な補助デバイスを同じセルラー電話及び同じ接続部に接続することを可能にする装置を提供することにある。
【０００５】
【特許文献１】特開平３−１９６７２３号公報
【特許文献２】特開平２−７７４９号公報
【特許文献３】特開昭６２−１８８５２４号公報
【特許文献４】特開平３−１３９０２５号公報
【特許文献５】特開平３−６６４８号公報
【発明の開示】
【０００６】
この目的を達成するために、本発明は添付した請求項１にその特徴が開示されている。本発明の好適な実施例は、從属請求項に開示されている。
【０００７】
即ち、本発明の基本思想は実際の移動電話が、これに接続されている補助デバイスを識別し、そのメモリに記憶されているデータに基づき接続部の信号レベルを所要レベルに設定するというものである。
【０００８】
なお、外部デバイスの識別があらかじめ明らかになっている場合がある。即ち、移動電話に接続される内部または外部電源の場合がそれである。即ち識別されているバッテリの種類に応じてバッテリの充電を適合化することも、無線電話の各電源に応じて無線電話の所定のユーザの特徴に適合させることも公知である。しかし、この公知技術はセルラー電話のオーディオレベルを関連の補助デバイスに応じて自動的に適合化させるというアイデアを示唆するレベルの技術ではない。
【０００９】
本発明の詳細を１実施例の形で添付の図面を参照して以下に説明する。
【発明を実施するための最良の形態】
【００１０】
図１の補助デバイスには参照番号１乃至Ｎを付してある。補助デバイスは補助デバイス１に示すようにRF部を介してアンテナにも接続されうる。補助デバイスは移動電話インタフェースを介して、図の下方部分でインタフェースの下方にその一部を示すセルラー電話に接続されている。
【００１１】
移動電話のマイクロプロセッサMCU はインタフェースを介して接続されている関連する補助デバイスのタイプに関するデータを受信する。マイクロプロセッサは、関連する補助デバイスへの適合化が適当となることを保証するために、それぞれ必要な増幅データがあらかじめ記憶されているメモリを内蔵している。この増幅データは移動電話のPCM −コーデック（PCM-codec)及び／またはディジタル信号プロセッサDSP に適用される。ブロックダイヤグラムでは、増幅用の調整信号がマイクロプロセッサMCU からPCM −コーデック(PCM−codec)及びディジタル信号プロセッサDSP の双方へ示されている。ブロックダイヤグラムから明らかなように、各補助デバイスに関して下記データが該メモリ内に記憶されている：
−補助デバイスの種類識別子（デバイス１、デバイス２、…）、
−受信の際に使用されるDSP の増幅パラメータ（値１、値５、…）、
−受信の際に使用されるコーデックの増幅パラメータ（値２、値６、…）、
−送信の際に使用されるDSP の増幅パラメータ（値３、値７、…）、及び
−送信の際に使用されるコーデックの増幅パラメータ（値４、値８、…）。
【００１２】
該ブロックダイヤグラムは更に別々のブロックにセルラー電話のオーディオ部及びRF部を示すと共に、該RF部と接続されているセルラー電話のアンテナをも示している。
【００１３】
図２はマイクロプロセッサの動作をフローチャートで示す。
【００１４】
マイクロプロセッサは補助デバイスの識別子が変更したかどうかを知るため補助デバイスのインタフェースをサンプルする。もし新しい補助デバイスがインタフェースに接続されていたら、マイクロプロセッサは補助デバイスの識別データをそのメモリに記憶し、このメモリからこのデータに基づいてDSP 及びコーデックの各増幅パラメータをサーチする。逆に、もしすでにインタフェースに接続されていた補助デバイスが切断されておれば、マイクロプロセッサはそのメモリに電話の識別データを記憶し、このデータに基づいて実際の電話（actual telephone）に関するDSP 及び／またはコーデックの増幅値をサーチする。前記識別子を持たない補助デバイスがインタフェースに接続している時にもこれと同じ動作が行われる。メモリから正しい増幅パラメータをサーチしたら、マイクロコンピュータはこれらのパラメータに基づいてDSP 及び／またはコーデックの増幅度を設定する。
【００１５】
ここに開示する補助デバイスの識別はすでにデバイス中に既に存在する機能を活用して多様な形に実施することができる。図３及び図４はインタフェースを介して識別データを送信する２通りの構成を示す。
【００１６】
図３では補助デバイスの識別がいわゆるフックラインによって行われる。補助デバイスはフックラインとグランドラインの間に接続された抵抗器Ｒ２をそなえ、その抵抗値は各補助デバイスに応じて異なる固有のものとされる。補助デバイスを電話に接続すると、電話は抵抗器Ｒ１を介してフックラインに給電する。抵抗器Ｒ１の一方の極は定電圧Ｖに接続され、グランド電位に対するフックラインの電圧はＶ・Ｒ２／（Ｒ１＋Ｒ２）である。電話器内でフックラインはアナログ−ディジタルコンバータのＡ／Ｄ入力と接続され、該コンバータの出力はマイクロプロセッサMCU に接続されている。フックラインの電圧は補助デバイスの抵抗Ｒ２の値に比例するから、電圧データを読むことによってマイクロプロセッサは、使用される補助デバイスを識別することができる。抵抗値には一定の許容誤差があるから各補助テバイスの識別のためフックラインの電圧にある程度の幅を持たせねばならない。抵抗値の許容誤差だけでなく、Ａ／Ｄコンバータの精度及び分解能も利用可能な補助デバイスの種類数に影響する。
【００１７】
補助デバイスの接続は（図示しないが）割込みラインを介してマイクロプロセッサに送信され、例えば、これを受信したマイクロプロセッサはフックラインに基づいて問題のデバイスを特定する。ただし、この場合補助デバイスの接続及び切断に伴なって発生する割込みパルスを供給するように回路を割込み用の構成にしなければならない。このような回路は例えばタイマー回路を利用して公知の態様で実施することができる。あるいはまた、補助デバイスの接続または切断に関する情報を提供するためマイクロプロセッサがディジタルコンバータの出力を繰返えし読み取るようにしてもよく、この方が回路技術上、より簡単である。
【００１８】
補助デバイスの識別にフックラインを利用する方式は、制御用エレクトロニクスを全く内蔵していないイヤピース（earpiece）のような受動的補助デバイスにおいて有利である。
【００１９】
補助デバイス識別のための他の実施態様を図４に示す。ここではインタフェースに含まれるディジタルシリアルバス（データ）を利用して移動電話と補助デバイスとの間で情報伝送を行う。この場合、所定の識別コードが各補助デバイスと対応し、補助デバイスのプロセッサによってコードが電話のマイクロプロセッサへ送信される。この方式では新しい補助デバイスの接続に関する情報をマイクロプロセッサに送るため（図示しないが）別設の割込みラインを利用することもできる。情報を受信したマイクロプロセッサはシリアルラインを介して補助デバイスの種類の明細を問合わせることができる。あるいはまた、補助デバイスが接続後シリアルラインを介して自動的に識別メッセージを送信し、その結果電話のマイクロプロセッサが補助デバイスの接続及び種類を識別するように構成することもできる。次いで補助デバイスの接続が解かれたら、電話と補助デバイスの間で繰返えし伝送されるメッセージを利用してこの接続解除を指示することができる。
【００２０】
シリアルバスを利用する識別法は、補助デバイスの機能を制御するマイクロプロセッサを内蔵する能動的補助デバイスに特に好適であり、この識別機能が補助デバイスの生産コストを増大させることはない。
【００２１】
図３及び図４にはインタフェースに含まれるオーディオラインをも示してあり、オーディオ信号はこのラインを介して移動電話のPCM −コーデックと補助デバイスの機能ユニットとの間で伝送される。
【００２２】
当初に述べたように、本発明は仮りに補助デバイスの入出力信号レベルが互いに異なる場合でも、アダプタ部を別設せずに補助デバイスを移動電話の一方のインタフェースに接続するのに利用することができる。このような補助デバイスとしては例えばイヤピース、自動車用ハンドフリーユニット、オフィス用ハンドフリーユニット、ハンドヘルドテレホン、データモデム、テレファックスデバイスなどがある。
【００２３】
上記回路構成の詳細な寸法は当業者にとっては常識の一部であり、本願明細書を読めば設定できると考えられるのでここでは詳しく説明しない。
【００２４】
本発明の方法及び回路構成の実施例を以上に説明した。例えば構造上の細部及び利用範囲に関して本発明の特許請求の範囲内で本発明の原理を変更態様で実施できることはいうまでもない。
【図面の簡単な説明】
【００２５】
【図１】本発明による調整装置の実施例をブロックダイヤグラムで示す。
【図２】調整の制御手順をフローチャートで示す。
【図３】フック信号を使用する補助デバイスの識別装置を示す。
【図４】シリアルインタフェースを有する識別装置を示す。
【図１】
2007020230.tif 000003
【図２】
2007020230.tif 000004
【図３】
2007020230.tif 000005
【図４】
2007020230.tif 000006
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
移動電話の信号レベルをこれに接続している補助デバイスに応じて適合させるための装置であって、移動電話が該移動電話の機能を制御するマイクロプロセッサを有し、また移動電話は接続されている補助デバイスの種類を該補助デバイスからの受信信号に基づいて識別し、該マイクロプロセッサは該補助デバイスに関連する信号レベルパラメータを記憶するメモリ手段をそなえ、かつ該移動電話のオーディオ信号レベルを補助デバイスの種類毎に適当なレベルに調整するようにされ、
ここに前記マイクロプロセッサが前記補助デバイスからの前記受信信号の読取りを繰返し行うことによって前記補助デバイスの接続または切断を識別し、かつ
前記移動電話と補助デバイスの間のインタフェースが補助デバイスの識別データを伝送するための第１の信号ラインと、オーディオ信号伝送用の第２の信号ラインとをそなえ、該第１の信号ラインを介して受信した識別データに基づいて、前記移動電話のマイクロプロセッサが、接続されている補助デバイスの種類に関する信号レベルパラメータをメモリ手段から読取ると共に、前記第２の信号ラインに接続されたディジタル信号プロセッサ及びコーデックの増幅度を、読取られた前記のパラメータに基づいて定めることを特徴とする装置。
【請求項２】
前記補助デバイスが前記移動電話のディジタルデータバスを利用して識別メッセージを送信するようにしたことを特徴とする、請求項１に記載の装置。
【請求項３】
前記補助デバイスがディジタルデータバスを利用して前記移動電話に繰返しメッセージを送信し、メッセージの消失に基づいて補助デバイスが切断されたことを移動電話が認識することを特徴とする、請求項２に記載の装置。
【請求項４】
前記補助デバイスが補助デバイス識別用の前記第１の信号ラインをなすフックラインと第３のラインをなすグランドラインとの間に接続された抵抗器をそなえ、該抵抗器が補助デバイスの種類に応じて定められたインピーダンスを有し、移動電話が該フックラインと該グランドラインとの間に電圧を印加し、フックラインに現れる電圧を測定することによって補助デバイスを識別することを特徴とする、請求項１に記載の装置。
【請求項５】
前記移動電話がフックラインに現れる前記電圧をディジタルデータに変換するためのアナログ−ディジタルコンバータを含み、前記マイクロプロセッサがディジタル電圧値を読取ることによって補助デバイスを識別することを特徴とする、請求項４に記載の装置。
【請求項６】
前記移動電話のマイクロプロセッサが前記ディジタル電圧値の読取りを繰返し行うことによって補助デバイスの接続または切断を識別することを特徴とする、請求項５に記載の装置。
【請求項７】
前記移動電話のインタフェースに対する補助デバイスの接続／切断に伴なって割込みラインの状態が変化し、これに基づいて移動電話のマイクロプロセッサが補助デバイスの識別を行うことを特徴とする、請求項１に記載の装置。
【請求項８】
前記補助デバイスが接続されていないかまたは接続されている補助デバイスの種類に関する信号レベルパラメータのデータがメモリ手段に記憶されていない場合に使用される信号レベルパラメータが、移動電話のメモリ手段に記憶されることを特徴とする、請求項１に記載の装置。